(57)【要約】【課題】集塵袋の有無に拘らずに消臭できるとともに、消臭性能を向上するのに好適な電気掃除機を提供することにある。【解決手段】電動送風機が内蔵された掃除機本体に接続された吸塵ホース２１が有している可撓性のホース本体２５内に、吸塵ホース２１を流通する空気の消臭をする消臭剤（消臭手段）２８を設けた。【選択図】      図３
2005177288.tif 000002
【特許請求の範囲】
【請求項１】
電動送風機が内蔵されるとともにこの電動送風機の吸込み側にホース接続口を有した掃除機本体と、
可撓性のホース本体、このホース本体の一端部に設けられ前記ホース接続口に接続される本体接続部、及び前記ホース本体の他端部に設けられた握り部を有する吸塵ホースと、
前記ホース本体に設けられてこのホース本体内を通る物質に対する消臭をする消臭手段と、
を具備した電気掃除機。
【請求項２】
電動送風機が内蔵されるとともにこの電動送風機の吸込み側にホース接続口を有した掃除機本体と、
可撓性のホース本体、このホース本体の一端部に設けられ前記ホース接続口に接続される本体接続部、及び前記ホース本体の他端部に設けられた握り部を有する吸塵ホースと、
前記握り部に着脱可能に接続される延長管と、
この延長管に着脱可能に接続される吸込み口体と、
前記吸込み口体から前記ホース本体にいたる風路に設けられ、前記吸込み口体から吸込まれた含塵空気を塵と空気とに分離するとともに分離された塵を溜める塵処理手段と、
この塵処理手段の下流側に配置されている前記ホース本体に設けられてこのホース本体内を通る物質に対する消臭をする消臭手段と、
を具備した電気掃除機。
【請求項３】
請求項１又は２に記載の電気掃除機において、前記消臭手段が前記ホース本体の内面に被着されている。
【請求項４】
請求項２又は３に記載の電気掃除機において、通気性の軟質部材が前記ホース本体に収容されていて、この軟質部材に前記消臭手段が設けられている。
【請求項５】
請求項１から４の内のいずれか１項に記載の電気掃除機において、前記消臭剤が光触媒作用によって消臭作用を発揮する消臭手段であって、前記ホース本体が光透過性材料で作られている。
【発明の詳細な説明】
【技術分野】
【０００１】
本発明は、消臭機能を備えた電気掃除機に関する。
【背景技術】
【０００２】
従来、掃除機本体外に排出される空気が異臭を放つことを抑制するために、掃除機本体内の集塵袋に消臭剤を付着若しくは含浸させて、この消臭剤の触媒作用を利用した化学反応により悪臭を消するようにした電気掃除機が知られている（例えば、特許文献１参照）。
【特許文献１】特開平６−２８４９９５号公報（段落０００９−００１０、００１２−００１５、００１７、図１、図２）
【発明の開示】
【発明が解決しようとする課題】
【０００３】
特許文献１の技術では、集塵袋が分離された塵を溜めるので、この溜まった塵によって消臭剤と臭い成分との化学反応が妨げられ易い。このような事情から消臭機能を充分に発揮し難く、充分な消臭効果を得ることが難しく、消臭に関して改善の余地が残されている。
【０００４】
更に、電気掃除機には集塵袋を備えない型のものが提供されている。このような電気掃除機では、特許文献１の技術を用いることができない。
【０００５】
本発明の目的は、集塵袋の有無に拘らずに消臭できるとともに、消臭性能を向上するのに好適な電気掃除機を提供することにある。
【課題を解決するための手段】
【０００６】
本発明は、電動送風機が内蔵された掃除機本体に接続された吸塵ホースが有している可撓性のホース本体に、吸塵ホースを流通する空気の消臭をする消臭手段を設けたものである。
【発明の効果】
【０００７】
本発明によれば、掃除機本体に接続される吸塵ホースのホース本体に消臭手段を設けたので、集塵袋の有無に拘らずに消臭できるとともに、消臭性能を向上するのに好適な電気掃除機を提供できる。
【発明を実施するための最良の形態】
【０００８】
図１〜図３を参照して本発明の第１実施形態を説明する。
【０００９】
図１中符号１で示す例えばキャニスタ型の電気掃除機は、床面を走行可能な掃除機本体２と、吸込風路体３とを備えている。
【００１０】
掃除機本体２は、ケース体１１と、このケース体１１に取付けられた蓋１２とを備えている。蓋１２はその後端部をケース体１１の上部に回転可能に連結されていて、この蓋１２の回転により、ケース体１１の前部に設けた図示しない集塵室の上面開口が開閉されるようになっている。前記集塵室には空気とともに吸込まれた微細な塵（細塵）を空気から分離して捕捉する細塵フィルタ（図示しない）が配置されている。この細塵フィルタは蓋１２の開放状態で集塵室に出し入れ可能である。
【００１１】
ケース体１１の前面には前記集塵室に連通するホース接続口１３が設けられている。掃除機本体２の後部には、電動送風機１４及び図示しないコードリールや電源供給回路等が内蔵されている。コードリールの掃除機本体２外に引出される電源コード１５を介して電動送風機１４への給電がなされる。電動送風機１４の吸気口１４ａは、前記集塵室を介してホース接続口１３に連通している。
【００１２】
吸込風路体３は、床面上から塵とともに吸込まれた空気をホース接続口１３に導くものであって、吸塵ホース２１と、延長管２２と、吸込み口体２３とを備えている。
【００１３】
吸塵ホース２１は、可撓性を有する蛇腹状のホース本体２５、このホース本体２５の一端部に設けられた本体接続部２６、及びホース本体２５の他端部に設けられた握り部２７を備えて形成されている。本体接続部２６はホース接続口１３に着脱可能に挿入して接続されている。握り部２７は、ハンドル２７ａを有し、このハンドル２７ａに電動送風機１４の遠隔操作用スイッチ２７ｂが設けられている。
【００１４】
延長管２２は、例えば２本の管２２ａ、２２ｂを伸縮可能に組合わせてなるもので、その下流側の管２２ｂは握り部２７に着脱可能に接続できる。吸込み口体２３は、床面の掃除に好適なものであって、その下面に幅方向に延びる吸込み開口（図示しない）を有している。この吸込み口体２３が有する起倒可能な接続管２３ａは、上流側の管２２ａ又は握り部２７に選択的に着脱可能に接続できる。
【００１５】
図２〜図４に示すようにハンドル２７ａを除いた握り部２７の主部は、互いに連通する略円筒状の前側部３１と略円筒状の後側部３２とを備え、これら前側部３１と後側部３２とは鈍角をなして連続している。
【００１６】
前側部３１は接続筒状部３３とこの後側に連続する収容筒状部３４とを備えている。接続筒状部３３の前後両端は夫々開口されている。接続筒状部３３には、その前側から延長管２２の下流側の管２２ｂ又は吸込み口体２３の接続管２３ａが着脱可能に差込み接続される。接続筒状部３３の下流側端部、つまり、収容筒状部３４に寄った後端部には、縮径されることによって絞り３３ａが設けられている。
【００１７】
収容筒状部３４の内外両寸法は接続筒状部３３より夫々大きく、その前端部が接続筒状部３３の後端部を覆ってこの後端部に接続されている。収容筒状部３４の周壁には、この収容筒状部３４内を透視可能とするために透明な合成樹脂等の部材で作られた窓部材３５が取付けられている。窓部材３５は収容筒状部３４の周壁の２箇所に設けられているが、図２には一方のみが図示されている。
【００１８】
図３及び図４に示すように後側部３２は、収容筒状部３４の後端部に連続する直管状のパイプ３６と、前部カバー筒３７と、後部カバー筒３８とを備えている。パイプ３６の両端は開口されており、その前端開口は収容筒状部３４と連通している。前部カバー筒３７は収容筒状部３４の後端部に連続してパイプ３６の前部を覆っている。後部カバー筒３８は前部カバー筒３７の後端部に連続してパイプ３６の後部を覆っている。
【００１９】
後側部３２にはホース本体２５が接続されている。つまり、ホース本体２５の先端部がパイプ３６の後端部に被嵌されて接着剤等で固定されているとともに、この先端部は後部カバー筒３８で覆われている。ホース本体２５は、掃除機本体２が床面上に置かされ状態で、床上に立った使用者がハンドル２７ａを握って吸込み口体２３を床面に沿って動かすのに充分に長さを有している。
【００２０】
ホース本体２５は、光透過性材料好ましくは透明な軟質合成樹脂材料で蛇腹状に作られていて、その内部に紫外線が到達可能である。ホース本体２５には、その長さの少なくとも一部領域を利用して消臭手段として例えば消臭剤２８が設けられている。消臭剤２８には好ましい例として酸化チタンなどを主成分とし光触媒作用によって消臭するものが使用されている。この消臭剤２８はホース本体２５を通る空気中に含まれる臭い成分を触媒作用による化学反応で別の物質に変化させて消臭をするものである。
【００２１】
消臭剤２８は、その消臭能力に応じて所望の消臭効果を得るのに必要な面積をもってホース本体２５に設けられる。この場合、より充分な消臭効果を得るためにホース本体２５の全長又は略全長にわたり連続して設けることが好ましい。ここに略全長とは、本体接続部２６及び握り部２７に接続されることによってホース本体２５を通る空気に晒されないホース本体２５の両端部は少なくとも含まないという意味であり、又、ホース本体２５の軸方向に連続してはいないが間隔的に消臭剤が設けられている形態を含んでいる。なお、消臭剤２８をホース本体２５の一部に設ける場合には、例えばホース本体２５の上流側部分又は下流側部分、或いはホース本体２５の軸方向中間部分を除く上流側部分及び下流側部分、若しくはホース本体２５の軸方向中間部分に設けることが可能である。
【００２２】
第１実施形態では消臭剤２８がホース本体２５の内面に層をなして被着されている。この消臭剤２８の層は、例えばホース本体２５内に未硬化の液状の消臭剤２８を噴霧して、ホース本体２５の内面全体にわたり連続して塗布し、この塗布層を硬化させることによって設けることができる。
【００２３】
なお、本発明において、ホース本体２５の全長にわたり消臭剤を設ける形態では、消臭剤２８を、ホース本体２５をなす可撓性材料に含浸させて設けることが可能であるとともに、ホース本体２５をなす可撓性材料に練り込んで設けること（言い換えれば、可撓性のホース本体２５を成形するに際して、ホース本体２５の成形材料に消臭剤２８を混入すること。）も可能である。これらの形態においては、繰返し可撓変形されるホース本体２５から消臭剤２８が剥れて脱落する恐れがない点で好ましい。
【００２４】
ホース本体２５の上流側に連続する風路、つまり、吸込み口体２３からホース本体２５にいたる風路の一部、例えば握り部２７の主部には、図３及び図４に示す塵処理手段４１が設けられている。この塵処理手段４１は、吸込み口体２３から吸込まれた含塵空気を、塵とホース本体２５に至る空気とに分離する塵分離部４２と、分離された塵を溜める集塵部４３とを備えている。
【００２５】
塵分離部４２は、収容筒状部３４内の接続筒状部３３寄りに配置された分離管４５と、この分離管４５に連通接続して収容筒状部３４のパイプ３６寄りに配置された連通管４７とを備えている。
【００２６】
分離管４５は接続筒状部３３の中心軸線延長上にこの軸線を中心として同心的に設けられている。図４に示すように分離管４５は、一端の入口４５ａから他端の出口４５ｂに向けて次第に縮径されているとともに、そのテーパ状の周壁には複数たとえば４つの開口４５ｃが周方向に等間隔に設けられている。分離管４５は、その内側から各開口４５ｃを覆って装着されたフィルタ、例えばナイロンネット製のフィルタ４６を有している。フィルタ４６のメッシュは電動送風機１４の直前に配置された図示しない前記細塵フィルタのメッシュより粗い。
【００２７】
この分離管４５は、入口４５ａを接続筒状部３３の絞り３３ａに連続するように対向させて収容筒状部３４に内蔵されている。入口４５ａの直径は絞り３３ａの内径（開口）寸法より大きい。分離管４５の周壁は窓部材３５に臨んでいる。これにより、フィルタ４６の状態が窓部材３５を通して収容筒状部３４の外部から視認可能になっている。
【００２８】
連通管４７は略直角に曲げられたＬ字状をなしている。連通管４７の一端部は前記中心軸線の延長上に配置されて分離管４５の出口４５ｂに接続され、連通管４７の他端部は収容筒状部３４の周壁下端部に開放されている。このため、連通管４７は握り部２７の外部に開放されている。握り部２７の外部への連通管４７の開放端部には、可撓性を有する環状のシールパッキン４９が取付けられている。このシールパッキン４９により、収容筒状部３４の気密が確保されているとともに、握り部２７とこれに取付けられる集塵部４３との間の気密が確保されるようになっている。
【００２９】
連通管４７には、これを周部複数箇所で支持するリブ部（１つのみ図示）４８ａを有したサポート筒４８が一体に形成されている。サポート筒４８は、収容筒状部３４の内面に支持されているとともに、この収容筒状部３４内に延長された接続筒状部３３の分離管サポート筒部３３ｂに接続されている。連通管４７及びサポート筒４８の内で、少なくともサポート筒４８は分離管４５の外部からの視認を妨げないように透明材料で成形されている。サポート筒４８の内側空間４８ｂは、連通管４７の内側空間とは仕切られているが、分離管４５の内側空間とはフィルタ４６を介して連通されている。更に、内側空間４８ｂは前記後側部３２のパイプ３６内と連通している。
【００３０】
前記後側部３２の周壁の下部には、パイプ３６内と後側部３２の外部とを連通する略矩形状の通気孔５１が開口されている。この通気孔５１の孔縁部には、可撓性を有する環状のシールパッキン５２が取付けられている。シールパッキン５２により、パイプ３６と前部カバー筒３７とにわたる通気孔５１回りの気密が確保されているとともに、握り部２７とこれに取付けられる後述の集塵部４３との間の気密が確保されるようになっている。通気孔５１の近傍には複数たとえば４つの爪状の固定部５３（２個のみ図示する。）が一体に突設されている。なお、符号５４は後側部３２の前端部に取付けられたリーク弁を示している。
【００３１】
前記集塵部４３は、例えば集塵ケースからなり、握り部２７の下側でかつ前側部３１と後側部３２とにわたって握り部２７の軸方向に沿わせて着脱可能に取付けられている。集塵部４３は、握り部２７の下端部を抱持するような凹状の容器であって、一端面が開口されているケース体６１と、このケース体６１の一端部に前記開口を開閉可能に覆って取付けられた蓋体６２とを備えている。
【００３２】
図２に示すようにケース体６１は本体部６１ａと一対の蓋部６１ｂとを有している。蓋部６１ｂは、本体部６１ａに長手方向に沿って延びて本体部６１ａの両側上端部に夫々取付けられている。本体部６１ａは例えば透明な合成樹脂で成形されている。
【００３３】
図３及び図４に示すように本体部６１ａの蓋体６２寄りの上壁には通気の出口として機能する通気孔６３が開口されている。この通気孔６３は、握り部２７に集塵部４３が取付けられた状態で、握り部２７の通気孔５１にシールパッキン５２を介して気密に連通するように設けられている。通気孔６３には、内部にリブ６４ａを有したフィルタ枠６４が嵌め込んで取付けられている。このフィルタ枠６４にはフィルタ６５が装着されている。フィルタ６５は、ナイロン製のネットフィルタからなり、前記フィルタ４６のメッシュと同じかやや細かいメッシュを有している。
【００３４】
本体部６１ａの先端部（蓋体６２と反対側の端部）寄りの上壁には、通気の入口として機能する円形状の通気孔６６が開けられている。この通気孔６６は、握り部２７に集塵部４３が取付けられた状態で、収容筒状部３４の周壁下端部に開放された連通管４７の他端部にシールパッキン４９を介して気密に連通するように設けられている。
【００３５】
図２に示すようにケース体６１には本体部６１ａと蓋部６１ｂとの合わせ部に位置して一対の脱着釦６７（一方のみ図示）がスライド可能に取付けられている。この脱着釦６７は固定部５３に係脱する爪状の係止部６８（参照）を操作するものである。係止部６８が固定部５３に係合されることにより、集塵部４３が握り部２７に取付けられ、脱着釦６７のスライド操作に連動して係止部６８と固定部５３との引っ掛りが外されることにより、集塵部４３が握り部２７から取外し可能になっている。
【００３６】
蓋体６２は、枢軸７０を支点に回転操されるクランプ操作部７１を有したクランプ機構７２によって、ケース体６１に対して閉じ位置に保持されている。この蓋体６２は、クランプ操作部７１を操作してクランプ機構７２による拘束を開放することによって、枢軸７０を中心に回転してケース体６１を開放可能である。
【００３７】
図１に示す状態で電動送風機１４が運転されると、吸込み口体２３に床面上の塵が空気とともに吸込まれる。この含塵空気は、延長管２２を通過して、握り部２７の接続筒状部３３を通過する。この場合、絞り３３ａにより流速を速められて、塵分離部４２の分離管４５内に流入する。分離管４５内の通気風は、分離管４５のフィルタ４６を通過してサポート筒４８の内側空間４８ｂに流入し、ここからパイプ３６を通過して、ホース本体２５及び本体接続部２６を順次通って掃除機本体２内に吸込まれる。
【００３８】
この一方で分離管４５内に流入した空気中に含まれている所定以上の質量がある塵には、分離管４５の軸方向に沿って下流側に指向する直進方向の慣性力が与えられるので、この慣性力によって前記質量のある塵は分離管４５内を直進する。こうして直進した塵は、連通管４７の屈曲部に突き当たって、この連通管４７から通気孔６６を通って集塵部４３内に導入され、ケース体６１内に溜められる。
【００３９】
このように分離管４５内を直進する所定以上の質量がある塵に対して、分離管４５内からフィルタ４６を通る空気の流れが形成されることによって、塵と空気との分離がなされる。この場合、空気の旋回を伴わないで分離するので、圧力損失を抑制できる点で好ましい。
【００４０】
更に、パイプ３６を通過する吸込風により互いに連通した通気孔５１、６３を介して集塵部４３のケース体６１内が負圧となるので、ケース体６１内に入口側の通気孔６６から出口側の通気孔６３へと向かう空気の流れが形成される。この空気の流れにより、ケース体６１内に流入した塵が蓋体６２寄りに圧縮されながら、ケース体６１内に溜められる。
【００４１】
ケース体６１内の塵がパイプ３６内へ流出することはフィルタ６５によって防止される。又、ケース体６１内の空気は、フィルタ６５を通過して、前記内側空間４８ｂからパイプ３６内に流入した空気と合流し、ホース本体２５等を通り、掃除機本体２に吸込まれる。そして、掃除機本体２に吸込まれた空気は、それに含まれる細塵を図示しない細塵用フィルタを通過する際に除去（分離）された後に、電動送風機１４を通過して排気風となり、掃除機本体２の外部に図示しない排気部を通して排出される。
【００４２】
こうした掃除動作は、延長管２２を取外して吸込み口体２３を吸塵ホース２１の握り部２７に直接接続して掃除を行う場合にも同様になされる。
【００４３】
集塵部４３内に溜まった塵を捨てる場合には、脱着釦６７をスライド操作して集塵部４３を握り部２７から取外した後、集塵部４３の蓋体６２を開けて、ケース体６１から塵を捨てればよい。
【００４４】
以上の掃除は、殆どの場合、掃除機本体２に吸塵ホース２１が取付けられた状態で行われるので、電動送風機１４の運転により掃除機本体２に吸込まれる空気は、必ず吸塵ホース２１の長尺なホース本体２５内を流通する。そして、既述のようにホース本体２５の内周面には消臭剤２８が設けられている。この消臭剤２８は長いホース本体２５の長さ範囲内の任意領域に設けることが可能である。
【００４５】
これにより消臭剤２８と掃除機本体２に吸込まれる空気との接触の機会が多く確保され、る。しかも、掃除機本体２に吸込まれる空気は、消臭剤２８が設けられているホース本体２５の上流側に配置された塵処理手段４１によって質量が大きな塵を除去されているので、塵が溜まって消臭剤２８が覆われることがなく、溜まった塵を原因として消臭剤２８の消臭機能が妨げられることが抑制される。したがって、吸込風の流通経路に沿って長く設けられている消臭剤２８の触媒作用を利用した化学反応により、吸塵ホース２１を通る空気中の物質に対する消臭機能を充分に発揮でき、吸塵ホース２１を通る物質の臭いを消して、それを掃除機本体２外に排出できる。
【００４６】
このように吸塵ホース２１に消臭をなす手段として例えば消臭剤２８を設けたので以下の利点を有する。ホース本体２５中の風路が長いので、充分な消臭効果を得られる。そして、塵の集塵部が掃除機本体２に設けられているものにおいては、塵が掃除機本体２の集塵部に集塵される前に消臭が施されるので、掃除機本体２からの排気風に消臭効果があるばかりではなく、掃除機本体２の集塵部内の塵に対しても消臭効果を作用させることができる。又、図１等に示されるように集塵部が吸塵ホース２１の上流側に設けられているものにおいては、吸塵ホース２１内を大きな塵が通過しないので、消臭効果が塵により低減することを抑制できる。
【００４７】
この場合、ホース本体２５が光透過性であるので、室内に差込む自然光又は照明器具から発する光の内で、紫外線はホース本体２５内に差込むことができる。そして、消臭剤２８は光触媒型のものであるため、紫外線の作用によって発現する光触媒作用によって、半永久的に消臭機能を持続できる。
【００４８】
又、第１実施形態の電気掃除機は、塵を溜める集塵袋を備えていないにも拘らず、既述のように吸塵ホース２１の長尺なホース本体２５を消臭領域として利用して充分な消臭できる。すなわち、消臭構造としては、吸塵ホースを有する電気掃除機であれば、電気掃除機の形式に拘らず消臭機能を充分に発揮できる。
【００４９】
なお、第１実施形態の消臭剤２８は、吸塵ホース２１に一体化されていて、その風路断面を狭めたリ、通風の抵抗となることもないので、吸塵ホース２１内での消臭のために圧力損失を招くことがない点で優れている。
【００５０】
図５は本発明の第２実施形態を示している。第２実施形態は、基本的には第１実施形態と同じであるので、同じ構成については第１実施形態の該当構成と同じ符号を付して説明を省略し、以下、第１実施形態とは異なる構成を説明する。
【００５１】
第２実施形態では、ホース本体２５に消臭剤を設けることに代えて、消臭剤２８が設けられた軟質部材２９を吸塵ホース２１に内蔵している。ホース本体２５の可撓変形を阻害しない軟質部材２９は、通気性を有するものであって、例えば連続気泡を有したスポンジ状の発泡ウレタンで作られていて、紫外線がホース本体２５を透過して到達する表面が少なくとも消臭剤２８で被われている。消臭剤２８は、軟質部材２９に塗布することによって設けても、或いは含浸させてもよく、又は軟質部材９に塗り込んで設けてもよい。軟質部材２９はホース本体２５内に収容され、その上流側の端部がパイプ３６の下流側端部に挿入され図示しない接着剤で接着されている。この軟質部材２９はホース本体２５の少なくとも半分以上、例えば略全長にわたる長さを有していることが好ましい。以上説明した点以外の構成は、図５に示されない構成を含めて第１実施形態と同じである。
【００５２】
この第２実施形態の電気掃除機での掃除において、パイプ３６の下流側端部を塞いでいる軟質部材２９には、パイプ３６で導かれた空気が流入する。軟質部材２９内の通気抵抗は、軟質部材２９とホース本体２５との間の環状空隙部Ｇの通気抵抗より遥かに大きい。このため、軟質部材２９の上流側端部に流入した空気の多くは、ホース本体２５の上流側端部で環状空隙部Ｇに流出してこの空間Ｇを流通する。こうしてホース本体２５内において環状空隙部Ｇを通る空気は、軟質部材２９の表面に被着された消臭剤２８による消臭作用を受けて、消臭されて掃除機本体２に吸込まれる。
【００５３】
したがって、この第２実施形態においても、第１実施形態と同様の作用を得て、本発明の課題を解決できる。しかも、通気性の軟質部材２９は、塵を捕捉するフィルタとしても機能するので、掃除機本体２内の細塵用フィルタを省略することも可能である。
【００５４】
図６は本発明の第３実施形態を示している。第３実施形態は、基本的には第１実施形態と同じであるので、同じ構成については第１実施形態の該当構成と同じ符号を付して説明を省略し、以下、第１実施形態とは異なる構成を説明する。
【００５５】
第３実施形態では、ホース本体２５の可撓変形を阻害しない軟質部材２９がホース本体２５の上流側端部に内蔵されている。軟質部材２９は、通気性を有するものであって、例えば連続気泡を有したスポンジ状の発泡ウレタンで作られている。この軟質部材２９は、消臭剤２８が設けられたホース本体２５に比較して遥かに短い。軟質部材２９の上流側の端部は、パイプ３６の下流側端部に挿入され図示しない接着剤で接着されている。この軟質部材２９の少なくとも表面に消臭剤２８を設けることは妨げない。以上説明した点以外の構成は、図５に示されない構成を含めて第１実施形態と同じである。
【００５６】
この第３実施形態の電気掃除機での掃除において、パイプ３６の下流側端部を塞いでいる軟質部材２９には、パイプ３６から空気が流通し、軟質部材２９から流出した空気は、内面が消臭剤２８で覆われたホース本体２５を通る際に、消臭剤２８による消臭作用を受けて、消臭されて掃除機本体２に吸込まれる。
【００５７】
したがって、この第３実施形態においても、第１実施形態と同様の作用を得て、本発明の課題を解決できる。しかも、通気性の軟質部材２９は、塵を捕捉するフィルタとしても機能するので、ホース本体２５の内面に設けられた消臭剤が、ホース本体２５を流通する空気中に含まれる細塵で覆われることが抑制される。これにより、ホース本体２５内での消臭剤２８による消臭作用を充分に発揮できる。しかも、掃除機本体２内の細塵用フィルタを省略することも可能である。
【００５８】
本発明は前記各実施形態には制約されない。例えば、ホース本体２５の上流側に塵処理手段４１を設けて実施する場合、この塵処理手段４１は、吸込み口体２３、又は延長管２２等に配設することが可能である。これとともに、塵処理手段４１が備える塵分離部４２は、サイクロンの原理で空気と塵とを分離するものであってもよく、又、空気と塵との分離とともに分離された塵を溜める紙パック等の集塵袋を用いてもよい。
【００５９】
又、本発明は延長管を用いない電気掃除機にも適用できる。更に、吸込み口体としては、床用以外の例えば隙間用吸込み口体その他の用途の吸込み口体であってもよい。
【００６０】
又、本発明で、消臭剤２８は光触媒作用で消臭を行うものに制約されないので、光触媒作用による消臭をしない消臭剤（消臭手段）を用いる場合には、ホース本体２５は不透明材料で作ることも可能である。
【図面の簡単な説明】
【００６１】
【図１】本発明の第１実施形態に係る電気掃除機を示す斜視図。
【図２】図１の電気掃除機の握り部回りを一部分解して示す斜視図。
【図３】図２の握り部回りを示す断面図。
【図４】図２の握り部回りを示す一部断面して示す斜視図。
【図５】本発明の第２実施形態に係る電気掃除機の握り部回りを示す断面図。
【図６】本発明の第３実施形態に係る電気掃除機の握り部回りを示す断面図。
【符号の説明】
【００６２】
１…電気掃除機、２…掃除機本体、１３…ホース接続口、１４…電動送風機、２１…吸塵ホース、２２…延長管、２３…吸込み口体、２５…ホース本体、２６…本体接続部、２７…握り部、２８…消臭剤（消臭手段）、２９…軟質部材、４１…塵処理手段、４２…塵分離部、４３…集塵部
【図１】
2005177288.tif 000003
【図２】
2005177288.tif 000004
【図３】
2005177288.tif 000005
【図４】
2005177288.tif 000006
【図５】
2005177288.tif 000007
【図６】
2005177288.tif 000008